(57)【特許請求の範囲】
【請求項１】
互いに同軸的に積層配置された複数の磁気ディスクと、
上記磁気ディスクを支持および回転駆動する駆動手段と、
上記磁気ディスクに対して情報の記録再生を行う磁気ヘッドと、
回動自在に支持された複数の板状のアームと、上記各アームの先端から延出しているとともに先端部に上記磁気ヘッドが取り付けられた複数の板状のサスペンションと、を有し、上記磁気ヘッドを上記磁気ディスクに対して移動自在に支持したヘッドアクチュエータと、
上記磁気ヘッドが上記磁気ディスクから離間する非作動位置に上記ヘッドアクチュエータが移動した際、ヘッドアクチュエータを支持するランプロード機構と、
上記非作動位置に移動した上記ヘッドアクチュエータの回動支点と上記磁気ヘッドとの間で、上記磁気ディスクの軸方向に上記ヘッドアクチュエータと所定の隙間を置いて対向して位置し、上記隙間を越える上記ヘッドアクチュエータの磁気ディスク軸方向への変位を規制する変位規制部材と、を備え、
上記複数のアームおよびサスペンションは各磁気ディスクに対して２本ずつ設けられ、磁気ディスクの両面側に対向して配設されているとともに、上記磁気ディスクの軸方向に沿って所定の間隔をおいて積層配置され、
上記変位規制部材は、それぞれ上記磁気ディスク面と平行に延びているとともに、上記非動作位置において、上記磁気ディスクを挟んで向合うサスペンション間に、各サスペンションに対して所定の隙間をおいて位置する複数の規制板と、
それぞれ上記磁気ディスク面と平行に延びているとともに、上記非動作位置において、背面合わせに隣合う２つのサスペンション間に、各サスペンションに対して所定の隙間をおいて位置する少なくとも１つの他の規制板と、
上記複数の規制板および他の規制板同士を連結した連結部と、を備えたことを特徴とする磁気ディスク装置。
【請求項２】
互いに同軸的に積層配置された複数の磁気ディスクと、
上記磁気ディスクを支持および回転駆動する駆動手段と、
上記磁気ディスクに対して情報の記録再生を行う磁気ヘッドと、
回動自在に支持された複数の板状のアームと、上記各アームの先端から延出しているとともに先端部に上記磁気ヘッドが取り付けられた複数の板状のサスペンションと、を有し、上記磁気ヘッドを上記磁気ディスクに対して移動自在に支持したヘッドアクチュエータと、
上記磁気ヘッドが上記磁気ディスクから離間する非作動位置に上記ヘッドアクチュエータが移動した際、ヘッドアクチュエータを支持するランプロード機構と、
上記非作動位置に移動した上記ヘッドアクチュエータの回動支点と上記磁気ヘッドとの間で、上記磁気ディスクの軸方向に上記ヘッドアクチュエータと所定の隙間を置いて対向して位置し、上記隙間を越える上記ヘッドアクチュエータの磁気ディスク軸方向への変位を規制する変位規制部材と、を備え、
上記複数のアームおよびサスペンションは各磁気ディスクに対して２本ずつ設けられ、磁気ディスクの両面側に対向して配設されているとともに、上記磁気ディスクの軸方向に沿って所定の間隔をおいて積層配置され、
上記変位規制部材は、それぞれ上記磁気ディスク面と平行に延びているとともに、上記非動作位置において、上記磁気ディスクを挟んで向合うアーム間に、各アームに対して所定の隙間をおいて位置する複数の規制板と、
それぞれ上記磁気ディスク面と平行に延びているとともに、上記非動作位置において、背面合わせに隣合う２つのアーム間に、各アームに対して所定の隙間をおいて位置する少なくとも１つの他の規制板と、
上記複数の規制板および他の規制板同士を連結した連結部と、を備えたことを特徴とする磁気ディスク装置。
【請求項３】
上記ランプロード機構は、上記磁気ディスクの外側に設けられ上記磁気ヘッドが磁気ディスクの外周縁側に移動した際に上記サスペンションの先端部が乗り上げるランプを備え、
上記変位規制部材は、上記磁気ディスクの外周縁から外側に外れて配置されていることを特徴とする請求項１又は２に記載の磁気ディスク装置。
【請求項４】
上記ランプロード機構は、上記磁気ディスクの内周側に設けられ上記磁気ヘッドが磁気ディスクの内周縁部に移動した際に上記サスペンションの先端部が乗り上げるランプを備え、
上記変位規制部材は、上記磁気ディスクの外周縁から内周縁部まで延出し上記ヘッドアクチュエータと磁気ディスクとの間に配置されていることを特徴とする請求項１又は２に記載の磁気ディスク装置。
【請求項５】
上記規制板は上記磁気ディスクよりも大きな厚さに形成され、厚さ方向の中心が上記磁気ディスクの厚さ方向中心と同一高さに位置した状態で配置されていることを特徴とする請求項１又は２に記載の磁気ディスク装置。
【請求項６】
上記駆動手段、ヘッドアクチュエータ、ランプロード機構、および変位規制部材を支持した底壁を有するケースと、上記底壁に対向して上記ケースに取り付けられたカバーと、を備え、
上記変位規制部材は、上記ヘッドアクチュエータと上記底壁との間に配置され所定の隙間をおいて上記ヘッドアクチュエータと対向する底部規制板と、上記ヘッドアクチュエータと上記カバーとの間に配置され所定の隙間をおいて上記ヘッドアクチュエータと対向する上部規制板と、を備えていることを特徴とする請求項１ないし５のいずれか１項に記載の磁気ディスク装置。
【発明の詳細な説明】
【０００１】
【発明の属する技術分野】
この発明は、磁気ディスク装置に関し、特に、ランプロード機構を備えた磁気ディスク装置に関する。
【０００２】
【従来の技術】
近年、パーソナルコンピュータ等の電子機器においては、大容量のメモリ装置として磁気ディスク装置が広く用いられている。一般に、磁気ディスク装置は、ケース内に配設された磁気ディスクと、磁気ディスクを支持および回転駆動するスピンドルモータと、磁気ヘッドを支持したヘッドアクチュエータと、ヘッドアクチュエータを駆動するボイスコイルモータと、基板ユニット等とを備えて構成されている。
【０００３】
ヘッドアクチュエータは、ケースに取り付けられた軸受部と、軸受部から延出した複数のアームと、各アームから延出したサスペンションと、を備え、磁気ヘッドはサスペンションの延出端に取り付けられている。
【０００４】
また、近年、携帯可能な小型のパーソナルコンピュータが普及しつつあり、この種のパーソナルコンピュータに搭載される磁気ディスク装置は、携帯時における衝撃等に対する信頼性の向上が求められている。
【０００５】
そこで、近年、磁気ディスク装置の非作動時に磁気ヘッドを保持する機構として、ランプロード機構を備えたものが提供されている。このランプロード機構は、サスペンションの先端から延出したタブと、磁気ディスクの外側に配置されたランプと、を備えている。そして、磁気ディスク装置の非作動時、ヘッドアクチュエータが磁気ディスクの外周に回動されると、サスペンションのタブがランプに乗り上げ、磁気ヘッドは、磁気ディスク表面から離間した位置に保持される。これにより、衝撃を受けた際、磁気ヘッドと磁気ディスクとの衝突が防止される。
【０００６】
【発明が解決しようとする課題】
しかしながら、上記構成の磁気ディスク装置によれば、ヘッドアクチュエータがランプロードされた状態において、つまり、タブがランプ上に乗り上げ磁気ヘッドが磁気ディスク表示面から離間した状態において、ヘッドアクチュエータの一部は磁気ディスクとオーバラップして位置している。
【０００７】
また、非作動時、磁気ディスク装置に磁気ディスクの軸方向、つまり、磁気ヘッドの積層方向に沿った衝撃等が作用した場合、ヘッドアクチュエータは、ランプに当接した先端部と回動支点である軸受部との中間部で最も大きく変位する。そのため、この中間部に位置したサスペンションあるいはアームと磁気ディスクとの衝突、あるいは、サスペンション同志やアーム同志の衝突が生じ、ディスク表面あるいはアクチュエータが損傷する恐れがある。従って、衝撃に対する磁気ディスク装置の信頼性が問題となる。
【０００８】
この発明は、以上の点に鑑みなされたもので、その目的は、衝撃に対する磁気ディスク、アクチュエータ等の損傷を防止して、信頼性の高い磁気ディスク装置を提供することにある。
【０００９】
【課題を解決するための手段】
上記目的を達成するため、この発明に係る磁気ディスク装置は、互いに同軸的に積層配置された複数の磁気ディスクと、上記磁気ディスクを支持および回転駆動する駆動手段と、上記磁気ディスクに対して情報の記録再生を行う磁気ヘッドと、回動自在に支持された複数の板状のアームと、上記各アームの先端から延出しているとともに先端部に上記磁気ヘッドが取り付けられた複数の板状のサスペンションと、を有し、上記磁気ヘッドを上記磁気ディスクに対して移動自在に支持したヘッドアクチュエータと、上記磁気ヘッドが上記磁気ディスクから離間する非作動位置に上記ヘッドアクチュエータが移動した際、ヘッドアクチュエータを支持するランプロード機構と、上記非作動位置に移動した上記ヘッドアクチュエータの回動支点と上記磁気ヘッドとの間で、上記磁気ディスクの軸方向に上記ヘッドアクチュエータと所定の隙間を置いて対向して位置し、上記隙間を越える上記ヘッドアクチュエータの磁気ディスク軸方向への変位を規制する変位規制部材と、を備え、上記複数のアームおよびサスペンションは各磁気ディスクに対して２本ずつ設けられ、磁気ディスクの両面側に対向して配設されているとともに、上記磁気ディスクの軸方向に沿って所定の間隔をおいて積層配置され、
上記変位規制部材は、それぞれ上記磁気ディスク面と平行に延びているとともに、上記非動作位置において、上記磁気ディスクを挟んで向合うサスペンション間に、各サスペンションに対して所定の隙間をおいて位置する複数の規制板と、それぞれ上記磁気ディスク面と平行に延びているとともに、上記非動作位置において、背面合わせに隣合う２つのサスペンション間に、各サスペンションに対して所定の隙間をおいて位置する少なくとも１つの他の規制板と、上記複数の規制板および他の規制板同士を連結した連結部と、を備えたことを特徴とする
【００１０】
また、この発明によれば、上記変位規制部材は、上記ヘッドアクチュエータのサスペンションあるいはアームと対向する位置に設けられている。
上記のように構成された磁気ディスク装置によれば、非動作時、ヘッドアクチュエータが非作動位置に移動すると、磁気ヘッドは、ランプロード機構により、磁気ディスク表面から離間した位置に保持される。また、ヘッドアクチュエータが非作動位置に移動すると、変位規制部材は、ヘッドアクチュエータの回動支点と磁気ヘッドとの間で、磁気ディスクの軸方向に上記ヘッドアクチュエータと所定の隙間を置いて対向して位置する。そのため、非作動状態において、磁気ディスク装置に衝撃等が作用してヘッドアクチュエータが磁気ディスクの軸方向に振動した場合でも、ヘッドアクチュエータが上記隙間を越えて変位しようとすると、変位規制部材に当接し、上記隙間以上の変位が規制される。
【００１１】
これにより、サスペンションあるいはアームと磁気ディスクとの衝突、あるいは、サスペンション同志やアーム同志の衝突を防止し、ディスク表面あるいはヘッドアクチュエータの損傷を防止することができる。従って、磁気ディスク装置の耐衝撃性が向上し、信頼性の高い磁気ディスク装置をえることができる。
【００１２】
【発明の実施の形態】
以下図面を参照しながら、この発明をハードディスクドライブ（以下ＨＤＤと称する）に適用した実施の形態について詳細に説明する。
図１に示すように、ＨＤＤは、底壁１１を有しているとともに上面の開口した矩形箱状のケース１２と、複数のねじによりケースにねじ止めされてケースの上端開口を閉塞するトップカバー１３（図４参照）と、を備えている。
【００１３】
ケース１２内には、磁気記録媒体としての３枚の磁気ディスク１６、この磁気ディスクを支持および回転させる駆動手段としてのスピンドルモータ１８、磁気ディスクに対して情報の書き込み、読み出しを行なう複数の磁気ヘッド、これらの磁気ヘッドを磁気ディスク１６に対して移動自在に支持したヘッドアクチュエータ２２、ヘッドアクチュエータを回動および位置決めするボイスコイルモータ（以下ＶＣＭと称する）２４、磁気ヘッドが磁気ディスクの最外周に移動した際、磁気ヘッドを磁気ディスクから離間した位置に保持するランプロード機構２５、およびヘッドＩＣ等を有する基板ユニット２１が収納されている。
【００１４】
また、ケース１２の底壁外面には、基板ユニット２１を介してスピンドルモータ１８、ＶＣＭ２４、および磁気ヘッドの動作を制御する図示しないプリント回路基板がねじ止めされている。
【００１５】
磁気ディスク１６は、直径６５ｍｍ（２．５インチ）に形成され、上面および下面に磁気記録層を有している。そして、３枚の磁気ディスク１６は、スピンドルモータ１８の図示しないハブに嵌合され、互いに所定の間隔を置いて同軸的に積層配置されている。そして、磁気ディスク１６は、クランプリング１７によってスピンドルモータ１８のハブに固定されている。そして、スピンドルモータ１８を駆動することにより、３枚の磁気ディスク１６はハブと一体的に所定の速度で回転される。
【００１６】
図１および図２に示すように、ヘッドアクチュエータ２２は、ケース１２の底壁１１上に固定された軸受組立体２６を備えている。軸受組立体２６は、ケース１２の底壁１１に対して垂直に立設され回動支点として機能する枢軸２７と、枢軸に一対の軸受を介して回転自在に支持された円筒形状のハブ２８と、を有している。また、ヘッドアクチュエータ２２は、ハブ２８に取り付けられた６本のアーム３２および複数のスペーサリングと、各アームに支持された磁気ヘッド組立体３６と、を備えている。
【００１７】
アーム３２は、例えば、ＳＵＳ３０４等のステンレス系の材料により、板厚２５０μｍ程度の平板状に形成されているとともに、その一端、つまり、基端には図示しない透孔が形成されている。
【００１８】
各磁気ヘッド組立体３６は、弾性変形可能な細長い板状のサスペンション３８と、サスペンションの先端に固定された磁気ヘッド４０と、を備えている。サスペンション３８は、板ばねにより構成され、その基端がスポット溶接あるいは接着によりアーム３２の先端に固定され、アームから延出している。
【００１９】
各磁気ヘッド４０は、ほぼ矩形状のスライダとこのスライダに形成された記録再生用のＭＲ（磁気抵抗）ヘッドとを有し、サスペンション３８の先端部に設けられた図示しないジンバル部に固定されている。
【００２０】
磁気ヘッド組立体３６の固定されたアーム３２は、基端部の透孔に軸受組立体のハブ２８を挿通することにより、積層された状態でハブの外周に嵌合されている。また、スペーサリングは、アーム間に挟まれた状態でハブ２８の外周に嵌合されている。これにより、６本のアーム３２は、所定の間隔を置いて互いに平行に位置しているとともにハブ２８から同一の方向へ延出している。
【００２１】
各サスペンション３８は、その先端から延出したタブ４２を一体に備えている。タブ４２は、後述するランプロード機構２５の一部を構成する係合部として機能する。
【００２２】
また、ヘッドアクチュエータ２２は、１つのスペーサリングからアーム３２と反対の方向へ延出した支持枠４４を有し、この支持枠により、ＶＣＭ２４の一部を構成するボイスコイル４５を支持している。支持枠４４は、合成樹脂によりボイスコイル４５の外周に一体的に成形されているとともに、図示しない取付部を介してスペーサリングに固定されている。
【００２３】
上記構成のヘッドアクチュエータ２２をケース１２に組み込んだ状態において、各磁気ディスク１６は２本のアーム３２間に位置している。そして、サスペンション３８に取り付けられた磁気ヘッド４０は、磁気ディスク１６の上面および下面にそれぞれ対向し、磁気ディスク１６を両面側から挟持している。また、ヘッドアクチュエータ２２の支持枠４４に固定されたボイスコイル４５は、ケース１２上に固定された一対のヨーク４８間に位置し、これらのヨークおよび一方のヨークに固定された磁石とともにＶＣＭ２４を構成している。そして、ボイスコイル４５に通電することにより、ヘッドアクチュエータ２２が回動し、磁気ヘッド４０は磁気ディスク１６の所望のトラック上に移動および位置決めされる。
【００２４】
図１に示すように、基板ユニット２１は、図示しない複数の電子部品およびコネクタ等を有し、フレキシブルプリント回路基板４６を介してヘッドアクチュエータ２２に接続されている。
【００２５】
また、ランプロード機構２５は、ケース１２の底壁１１に設けられているとともに磁気ディスク１６の外側に外れて位置したランプ５０を備えている。このランプ５０は、ヘッドアクチュエータ２２の６つのサスペンション３８に設けられた６つのタブ４２をそれぞれガイドする図示しない６つのガイド面を有している。これらのガイド面７２は、それぞれ対応するサスペンション３８のレベルに合わせて配置され、磁気ディスク１６の半径方向に沿って、磁気ディスクの外周縁近傍まで延びているとともに、サスペンション３８に設けられたタブ４２の移動経路上に配置されている。
【００２６】
ＨＤＤの非動作時、ＶＣＭ２４によってヘッドアクチュエータ２２が図１に示す非作動位置に向かって回動されると、磁気ヘッド４０は磁気ディスク１６の内周側から最外周に向かって移動する。そして、磁気ヘッド４０が磁気ディスク１６の外周縁近傍まで移動すると、各サスペンション３８から延出したタブ４２が磁気ディスク１６の外周縁から外方へ突出し、それぞれランプ５０の対応するガイド面上に乗り上げる。それにより、ヘッドアクチュエータ２２の各磁気ヘッド４０は、磁気ディスク表面から離間した所定位置に保持される。
【００２７】
ＨＤＤを再び作動した場合、磁気ディスク１６が回転した状態でヘッドアクチュエータ２２が非作動位置から磁気ディスクの内周側に向かって回動される。すると、各サスペンション３８のタブ４２はランプ５０のガイド面を移動し、これに応じて、各磁気ヘッド４０も磁気ディスク１６表面上にロードされる。
【００２８】
図１、図３、および図４に示すように、ケース１２の底壁１１には、磁気ディスク１６の外側に外れて位置した変位規制部材５２がねじ止め固定され、そして、非作動位置に移動したヘッドアクチュエータ２２の枢軸２７とランプ７０に支持された磁気ヘッド４５との間にほぼ中間部で、ヘッドアクチュエータと磁気ディスク１６の軸方向に重なって位置するように設けられている。
【００２９】
変位規制部材５２は、ケース１２の底壁１１にねじ止めされ底壁から垂直に起立した連結部５４と、それぞれ連結部から互いに平行に延出した３つの規制板５６とを有し、金属、液晶ポリマ等によって一体的に形成されている。規制板５４は磁気ディスク１６と平行に延びているとともに、互いに所定の間隔を置いて、磁気ディスクの軸方向に積層配置されている。
【００３０】
各規制板５６の厚さ、つまり、磁気ディスク１６の軸方向に沿った厚さｔは、磁気ディスクの厚さよりも大きく形成されている。また、３つの規制板５６は、厚さ方向の中心が対応する磁気ディスク１６の厚さ方向の中心と同一高さとなるように配置されている。
【００３１】
また、図１および図４に示すように、変位規制部材５２は、ヘッドアクチュエータ２２が非作動位置へ移動した際、各規制板５６が隣合う２つのサスペンション３８間に入り込む位置に設けられている。更に、各規制板５６は、サスペンション３８間に位置した状態において、サスペンションとの間に所定の隙間、例えば、約０．２ｍｍの隙間ｇが形成される厚さに形成されている。
【００３２】
上記のように構成されたＨＤＤによれば、非動作時、ヘッドアクチュエータ２２が非作動位置に移動すると、各サスペンション３８から延出したタブ４２がランプロード機構２５のランプ５０に乗り上げ、各磁気ヘッド４０は、磁気ディスク１６表面から離間した位置に保持される。また、ヘッドアクチュエータ２２が非作動位置に移動すると、変位規制部材５２の規制板５６が隣合う２つのサスペンション３８間に入り込み、各サスペンションに対し、磁気ディスク１６の軸方向に所定の隙間ｇを置いて対向して位置する。
【００３３】
そのため、非作動状態において、ＨＤＤに衝撃等が作用してヘッドアクチュエータ２２のアーム３２およびサスペンション３８が磁気ディスク１６の軸方向に振動あるいは撓んが場合でも、サスペンションが隙間ｇを越えて変位しようとすると、規制板５６に当接し、隙間ｇ以上の変位が規制される。
【００３４】
図５は、サスペンション３８と規制板５６との間の隙間ｇと、ヘッドアクチュエータに作用する衝撃との関係を示している。例えば、隙間ｇを０．４５ｍｍとした場合、７７０Ｇの衝撃がヘッドアクチュエータに作用すると、サスペンション３８の０．４５ｍｍ変位し規制板５６に衝突する。
【００３５】
上記のように、規制部材５２によってサスペンション３８の変位を規制することにより、サスペンション３８あるいはアーム３２と磁気ディスク１６表面との衝突、およびサスペンション同志やアーム同志の衝突を防止し、磁気ディスク表面あるいはヘッドアクチュエータ２２の損傷を防止することができる。従って、ＨＤＤの耐衝撃性が向上し、信頼性の高いＨＤＤを得ることができる。
【００３６】
上述した実施の形態では、変位規制部材５２は、非作動位置に移動したヘッドアクチュエータ２２のサスペンション３８と対向する位置に設けられているが、図６および図７に示す実施の形態のように、アーム３２の先端部と対向する位置に設けられていてもよい。この場合、変位規制部材５２の各規制板５６は、ＨＤＤの非作動状態において、隣合う２つのアーム３２間に入り込み、磁気ディスク１６の軸方向に沿って、所定の隙間を置いて各アームと対向する。
【００３７】
このように構成されたＨＤＤにおいても、前述した実施の形態と同様の作用効果を得ることができる。
図８および図９に示す他の実施の形態に係るＨＤＤによれば、変位規制部材５２は、それぞれ隣合う２つのサスペンション３８間に入り込む３つの規制板５６に加えて、それぞれ隣合う２つのサスペンションの背面間に入り込む２つの規制板５６ａと、最上部のサスペンションとトップカバー１３との間に入り込む規制板５６ｃと、最下部のサスペンションと底壁１１との間に入り込む規制板５６ｄと、を一体に備えて形成されている。
【００３８】
このように構成されたＨＤＤによれば、前述した実施の形態と同様の作用効果を得ることができるとともに、衝撃等が作用した際、アーム３２およびサスペンション３８とトップカバー１３との衝突、並びに、アーム３２およびサスペンション３８と底壁１１との衝突を防止することができる。
【００３９】
図１０および図１１に示す更に他の実施の形態に係るＨＤＤによれば、変位規制部材５２は、それぞれ隣合う２つのアーム３２間に入り込む３つの規制板５６に加えて、それぞれ隣合う２つのアームの背面間に入り込む２つの規制板５６ａと、最上部のアームとトップカバー１３との間に入り込む規制板５６ｃと、最下部のアームと底壁１１との間に入り込む規制板５６ｄと、を一体に備えて形成されている。
【００４０】
このように構成されたＨＤＤによれば、前述した実施の形態と同様の作用効果を得ることができるとともに、衝撃等が作用した際、アーム３２およびサスペンション３８とトップカバー１３との衝突、並びに、アーム３２およびサスペンション３８と底壁１１との衝突を防止することができる。
【００４１】
また、図１２および図１３に示すように、ランプロード機構２５のランプ５０と変位規制部材５２とを連結部材６０によって連結し、これらを一体的に成形する構成としてもよい。このようにランプ５０および変位規制部材５２を一体成形して１部品とすることにより、取付誤差を低減し、前述した隙間ｇを高い精度に設定することができる。
【００４２】
図１４に示す他の実施の形態に係るＨＤＤによれば、ヘッドアクチュエータ２２の非作動位置は、磁気ヘッド４０が磁気ディスク１６の最内周部に移動した位置に設定されている。この場合、ケース１２の底壁１１に取り付けられたランプロード機構２５のランプ５０は、磁気ディスクの外周縁側から内周縁まで延出している。変位規制部材５２は、磁気ディスク１６を間に挟んでランプ５０と反対側に設けられ、各規制板５６は、磁気ディスクの外周縁側から内周縁まで延出し、磁気ディスク表面とサスペンション３８との間に所定の隙間を置いて配置されている。
このように構成されたＨＤＤにおいても、前述した実施の形態と同様の作用効果を得ることができる。
【００４３】
更に、図１４に示す実施の形態において、ランプロード機構２５を省略し、図１５に示すように、非作動時、磁気ヘッド４０が磁気ディスク１６の最内周部表面上に接触して停止する、いわゆるコンタクト・スタート・ストップ（ＣＳＳ）方式としてもよい。この場合でも、変位規制部材５２の各規制板５６は、磁気ディスク１６の外周縁側から内周縁まで延出し、磁気ディスク表面とサスペンション３８との間に所定の隙間を置いて配置することにより、前述した実施の形態と同様の作用効果を得ることができる。
【００４４】
なお、図６ないし図１５に示す各実施の形態において、他の構成は図１ないし図４に示した実施の形態と同一であり、同一の部分には同一の参照符号を付してその詳細な説明を省略した。
【００４５】
この発明は上述した種々の実施の形態に限定されることなく、この発明の範囲内で更なる変形が可能である。例えば、磁気ディスクの枚数、これに対応する磁気ヘッドの数、アームの数等は、必要に応じて増減可能であり、磁気ヘッドの増加に応じて、ランプロード機構のランプ数、変位規制部材の規制板数を増加することができる。
【００４６】
【発明の効果】
以上詳述したように、この発明によれば、非動作時における磁気ディスクとヘッドアクチュエータとの衝突、およびヘッドアクチュエータのアーム同志、あるいはサスペンション同志の衝突を防止し、耐衝撃性に優れ信頼性の高い磁気ディスク装置を提供することができる。
【図面の簡単な説明】
【図１】この発明の実施の形態に係るＨＤＤを示す平面図。
【図２】上記ＨＤＤに設けられたヘッドアクチュエータおよびＶＣＭを示す斜視図。
【図３】上記ＨＤＤに設けられた変位規制部材の斜視図。
【図４】図１の線Ａ−Ａに沿った断面図。
【図５】上記ＨＤＤに作用する衝撃Ｇと隙間ｇとの関係を示すグラフ。
【図６】この発明の他の実施の形態に係るＨＤＤを示す平面図。
【図７】図６の線Ｂ−Ｂに沿った断面図。
【図８】この発明の更に他の実施の形態に係るＨＤＤを示す平面図。
【図９】図８の線Ｃ−Ｃに沿った断面図。
【図１０】この発明の更に他の実施の形態に係るＨＤＤを示す平面図。
【図１１】図１０の線Ｄ−Ｄに沿った断面図。
【図１２】この発明の更に他の実施の形態に係るＨＤＤを示す平面図。
【図１３】この発明の更に他の実施の形態に係るＨＤＤを示す平面図。
【図１４】この発明の更に他の実施の形態に係るＨＤＤを示す平面図。
【図１５】この発明の更に他の実施の形態に係るＨＤＤを示す平面図。
【符号の説明】
１２…ケース
１６…磁気ディスク
１８…スピンドルモータ
２２…ヘッドアクチュエータ
２４…ボイスコイルモータ
２５…ランプロード機構
２６…軸受組立体
３２…アーム
３８…サスペンション
４０…磁気ヘッド
４２…タブ
５０…ランプ
５２…変位規制部材
５４…連結部
５６、５６ａ、５６ｂ、５６ｃ、５６ｄ…規制板
ｇ…隙間
【図１】
0003788865.tif 000002
【図２】
0003788865.tif 000003
【図３】
0003788865.tif 000004
【図４】
0003788865.tif 000005
【図５】
0003788865.tif 000006
【図６】
0003788865.tif 000007
【図７】
0003788865.tif 000008
【図８】
0003788865.tif 000009
【図９】
0003788865.tif 000010
【図１０】
0003788865.tif 000011
【図１１】
0003788865.tif 000012
【図１２】
0003788865.tif 000013
【図１３】
0003788865.tif 000014
【図１４】
0003788865.tif 000015
【図１５】
0003788865.tif 000016